(57)【要約】【課題】フェンスの線材同士を接続させやすい接続部材を用いたフェンスを提供する。【解決手段】格子状の後パネル２が支柱１間に取付けられると共に、接続部材４を介して前記後パネル２の前方に格子状の前パネル３が間隔をおいて取付けられ、前記接続部材４は接続部４１の前後端部に半円筒状となされた湾曲片４３と接続部４１から垂直に折曲された垂直片４４とを備えた係止部４２が設けられているので、係止部４２の湾曲片４３と垂直片４４との間に、前後パネル２、３の線材２１、３１を挿入しても、垂直片４４からの急激な反動が起こりにくく、取付作業が容易となる。【選択図】  図１
2012132207.tif 000002
【特許請求の範囲】
【請求項１】
格子状の後パネルが支柱間に取付けられると共に、接続部材を介して前記後パネルの前方に格子状の前パネルが間隔をおいて取付けられ、前記接続部材は接続部の前後端部に半円筒状となされた湾曲片と接続部から垂直に折曲された垂直片とを備えた係止部が設けられ、各係止部の湾曲片と垂直片との間に、前後パネルの線材が挿入されて係止されていることを特徴とするフェンス。
【請求項２】
前記接続部材は接続部の前後端部において、その両側部が半円筒状に折曲されて湾曲片が形成されると共に、残部の中央部が垂直に折曲されて垂直片が形成されていることを特徴とする請求項１に記載のフェンス。
【請求項３】
前パネルに植物を支持させて生育させたことを特徴とする請求項１又は２に記載のフェンス。
【発明の詳細な説明】
【技術分野】
【０００１】
本発明は、住宅、公園等の敷地境界部や隣地境界部に沿って取付けられるフェンスや柵等に関し、特にこれらに用いられるパネル同士を前後に取付けたフェンスに関する。
【背景技術】
【０００２】
住宅、公園等の敷地境界部や隣地境界部に沿って取付けられるフェンスにおいて、庭の装飾や植栽を目的として、格子状のパネルを折り曲げて側面視逆Ｕ字状の２重パネルとし、それを支柱間に取付けたものが用いられている。しかし、このようなパネルは、輸送時に嵩張りやすく、またフェンス施工時に既に２重パネルとなっているので、施工後にパネルの一方を移動させたり、取り外したりすることには向かない形態であった。
【０００３】
例えば、先行文献１には、２重金網の端部の対向縦素線を挟持する挟持片を左右両側縁に備えた２枚１組の挟持プレートを間隔片を挟んで２組配置し、該２組の挟持プレートをこれらのプレート及び間隔片に貫挿した共通のボルト・ナットにより締付せしめた２重金網用連結金具が提案されている。
【０００４】
しかし、前記連結金具では、複数の部材を組み合わせて取付ける必要があるため、１個の部材で棒状体を連結する形態として例えば先行文献２には、両端が半円を越えて延長する円弧状の平断面形状として一側に開口部を有する筒状の嵌合部を２個、これらの軸心が並行するように連結すると共にこれらを幾分の弾性を有する合成樹脂にて一体成型し、しかもこれら両嵌合部相互を連結する部分には、軸心方向に長尺でかつ貫通する操作穴を形成したことを特徴とするフェンスジョイントが提案されている。
【０００５】
また本出願人においても、連結具本体の両端部にフック状の係止板片が突設されて逆溝形状の係止部が形成され、上記連結具本体の両端部にめねじ孔が設けられ、このめねじ孔に相対向して係止板片に挿通孔が穿設されており、連結具本体の両端部係止板片が相対向する線格子フェンス体の横線材にそれぞれ係止され、ビスが挿通孔からめねじ孔に挿入されることにより係止部内に横線材が保持されるようになされた線格子フェンス体の連結具を提案している。
【先行技術文献】
【特許文献】
【０００６】
【特許文献１】実公昭６３−３９３３４号公報
【特許文献２】実公昭６３−１７７５６５号公報
【特許文献３】実開平６−６２１４７号公報
【発明の概要】
【発明が解決しようとする課題】
【０００７】
しかしながら、前記フェンスジョイントでは、嵌合部に支柱を嵌合させる際、嵌合部の開口部を支柱の最大径部が通過すると、それ以後は、嵌合部と支柱との圧接状態が急激に解消される場合があり、その反動により作業者がけがをしたり、線材やフェンスジョイントに変形や破損が生じたりするおそれがあった。
【０００８】
本発明は、前記の如き問題点を解消し、二個のフェンスの線材同士を接続させやすい接続部材を用いたフェンスを提供せんとするものである。
【課題を解決するための手段】
【０００９】
上記目的を達成するために、本発明は次のような構成としている。
すなわちこの発明に係るフェンスは、格子状の後パネルが支柱間に取付けられると共に、接続部材を介して前記後パネルの前方に格子状の前パネルが間隔をおいて取付けられ、前記接続部材は接続部の前後端部に半円筒状となされた湾曲片と接続部から垂直に折曲された垂直片とを備えた係止部が設けられ、各係止部の湾曲片と垂直片との間に、前後パネルの線材が挿入されて係止されていることを特徴とするものである。
【００１０】
本発明のフェンスにおいて、前記接続部材は接続部の前後端部において、その両側部が半円筒状に折曲されて湾曲片が形成されると共に、残部の中央部が垂直に折曲されて垂直片が形成されるように構成してもよい。
【００１１】
また本発明のフェンスにおいて、前パネルに植物を支持させて生育させた構成としてもよい。
【発明の効果】
【００１２】
本発明によれば、前記接続部材は接続部の前後端部に半円筒状となされた湾曲片と接続部から垂直に折曲された垂直片とを備えた係止部が設けられているので、前パネル又は後パネルの線材を湾曲片と垂直片と先端側から挿入すると、前記線材は、垂直片に接触しつつ奥へ挿入されて垂直片の変形が徐々に緩和されるので、垂直片の変形の反動が生じにくく取付作業がしやすくなる。
【００１３】
本発明のフェンスにおいて、前記接続部材は接続部の前後端部において、その両側部が半円筒状に折曲されて湾曲片が形成されると共に、残部の中央部が垂直に折曲されて垂直片が形成されるようにすれば、垂直片と湾曲片との間に挿入された線材は、幅方向においては、湾曲片又は垂直片から押圧力を受けるがその押圧力は反対側で緩和されるので、線材は係止部から抜け出しにくくなる。
【００１４】
また本発明のフェンスにおいて、前パネルに植物を支持させて生育させた構成とすれば、後パネルのみのフェンスに対しても、前パネルを後付けして緑化フェンスとすることが可能となり、植物が枯れた場合や、植物が不要になれば、前パネルを後パネルから外して植物を取り除くことができる。
【図面の簡単な説明】
【００１５】
【図１】本発明に係るフェンスの実施の一形態を示す正面図である。
【図２】図１に示す実施形態の側面図である。
【図３】図１に示す実施形態の接続部材の実施の一形態を示す説明図であり、（ａ）は平面図、（ｂ）は正面図、（ｃ）は側面図である。
【図４】図２に示す実施形態の主要部の分解説明図である。
【図５】図２に示す実施形態の別の主要部の拡大断面図である。
【発明を実施するための形態】
【００１６】
次に、本発明を実施するための最良の形態について図面を参照し、具体的に説明する。
【００１７】
図１−２において、１は支柱、２は支柱１に取付けられる後パネル、３は後パネルの前方に配置される前パネル、４は後パネル２と前パネル３とを接続する接続部材である。本発明に係るフェンスＦは、主に支柱１、後パネル２、前パネル３及び接続部材４とからなり、支柱１に取付けられた後パネル２の前方に間隔をおいて前パネル３が配置されている。
【００１８】
支柱１は、設置面に適宜間隔で複数立設され、一般には強度的に安定しておりコストの安い円筒状の鋼管が用いられている。支柱１の上端部にはキャップ１１が取付けられ、支柱１の内部に雨水等が浸入することを防止している。支柱１は、アルミニウム合金やステンレス鋼等の他の金属を用いたものでもよい。支柱１の断面形状は、後パネル２が取付けられるものであればよく、例えば、四角形状や、断面Ｈ字状でもよい。尚、後パネル２の前方とは、前パネル３が取付けられる側であり、フェンスＦを敷地境界部に設置する場合は、道路等に面した方を前方としてもよく、逆に家屋側を前方としてもよく、要は前パネルが取付けられる方を前方としている。
【００１９】
後パネル２は、多数の線材２１を格子状に配置し、その交差部を接合したものである。線材２１は、一般には強度的に安定しておりコストの安い鋼線が好適に用いられるが、ステンレス合金アルミニウム合金などの他の金属からなる線材を用いてもよい。本形態では、耐食性を高めるために線材２１に亜鉛めっきを施しており、更に景観性や耐擦傷性を高めるために、線材２１を合成樹脂で被覆している。
【００２０】
支柱１に対する後パネル２の取付構造は特に限定されるものではないが、本形態では、支柱１間に、連結金具１２を介して取付けている。すなわち、後パネル２の上下端部の縦線材２１ａがリング状に折曲されて左右方向に延びる上胴縁部２２、下胴縁部２３が設けられている。そして、支柱１の上部及び下部に横長の連結金具１２が固定され、該連結金具１２の両側端に前記上胴縁部２２、下胴縁部２３が固定されて、後パネル２が支柱１に取付けられる。更に、支柱１の中段部には、上下の連結金具１２の間にバンド金具１３が取付けられて、該バンド金具１３によって後パネル２の側端部が支柱１に固定されている。該取付構造は、本形態に限定されるものではなく、例えば、図示しないが、取付具等を介して支柱１に後パネル２の側端部の縦線材２１ａ又は横線材２１ｂを固定して後パネル２を取付けた形態でもよく、またフック等を介して支柱１の前面に後パネル２の縦線材２１ａ又は横線材２１ｂを固定して後パネル２を取付けてもよい。
【００２１】
前パネル体３は、後パネル２と同様に、多数の線材３１を格子状に配置し、その交差部を接合したものである。線材３１は、一般には強度的に安定しておりコストの安い鋼線が好適に用いられるが、ステンレス合金アルミニウム合金などの他の金属からなる線材を用いてもよい。本形態では、耐食性を高めるために線材３１に亜鉛めっきを施しており、更に景観性や耐擦傷性を高めるために、線材３１を合成樹脂で被覆している。また、本形態では、後パネル２と同様に、前パネル３の強度を高めるために上下端部の縦線材３１ａが筒状に折曲されて横方向に延びる上胴縁部３２、下胴縁部３３が設けられている。そして、接続部材４を介して後パネル２の前方に前パネル３が取付けられている。
【００２２】
接続部材４は、図２−３に示すように、後パネル２と前パネル３との接続方向に延びる平板状の接続部４１と、該接続部４１の両端にそれぞれ形成された係止部４２とを備え、一方の係止部４２に後パネル２の線材２１が係止され、もう一方の係止部４２に前パネル３の線材３１が係止される。係止部４２は、接続部４１の前後端部に半円筒状となされた湾曲片４３と接続部４１から垂直に折曲された垂直片４４とを備えている。
【００２３】
湾曲片４３は、係止される線材２１又は線材３１の外周面に沿って半円筒状に形成されている。一方垂直片４４は、係止される線材２１又は線材３１の長手方向に沿って接続部４１から立設されている。本形態では、接続部４１の前後端部において、その両側部が半円筒状に折曲されて湾曲片４３が形成されると共に、残部の中央部が垂直に折曲されて垂直片４４が形成されている。
【００２４】
垂直片４４は、本形態では、湾曲片４３の間に形成されているが、垂直片４４を２個設けてその間に湾曲片４３を形成したものでもよい。また、垂直片４４と湾曲片４３とが交互に少なくとも合わせて３個形成されていれば、線材２１又は線材３１を係止することができるので、垂直片４４と湾曲片４３とを合わせて４個以上形成してもよい。
【００２５】
接続部材４は、本形態では、長方形状の鋼材からなる板材をプレス加工により一体形成したものである。すなわち、前記板材の両端部から中央側に向けて二個の切れ目を入れて短冊状の辺を設け、その辺の中央の一個を折り曲げて垂直片４４とし、該垂直片４４の両側を垂直片４４から離れる方向に突出した湾曲片４３を設けたものである。接続部材４は、ステンレス合金等の他の金属部材を用いてもよい。
【００２６】
次に前パネル３の横線材３１ｂと接続部材４との接続構造について説明する。図４の（ａ）〜（ｃ）に示すように、接続部材４の一方の係止部４２を下方向Ｘ１に移動させて、垂直片４４と湾曲片４３との折曲された先端側からその両者の間に横線材３１ｂを挿入し、該湾曲片４３と垂直片４４とにより横線材３１ｂを挟持させて、前パネル３の横線材３１ｂを接続部材４の係止部４２に係止させる。湾曲片４３と垂直片４４との離間距離Ｒ１は、横線材３１ｂの外径Ｒ２より小さいので、横線材３１ｂの挿入の際、垂直片４４と湾曲片４３とは離れるように押し広げられる。この際、垂直片４４の先端部は、垂直片４３の先端部と比べて、基端部から徐々に変形して横線材３１ｂの幅方向に比較的大きな変位を取り得るので、横線材３１ｂの挿入空間を比較的確保しやすい。したがって、横線材３１ｂや接続部材４に想定以上の負荷が掛かり変形や破損が生じたりするおそれが少なくなる。
【００２７】
また湾曲片４３と垂直片４４とが最も離れた箇所での離間距離Ｒ３も横線材３１ｂの外径Ｒ２より小さいので、横線材３１ｂは、湾曲片４３側に移動しながら、少なくとも横線材３１ｂの一部が垂直片４４に圧接した状態で係止部４２の奥に向けて挿入される。したがって、作業者が垂直片４４と湾曲片４３との間に横線材３１ｂを挿入する際、垂直片４４に掛かる負荷は徐々に減少して、急激な負荷の変動が起こりにくく、急激な負荷変動により作業者がけがをするおそれが少なくなり、取付等の作業がしやすくなる。
【００２８】
また、図５に示すように、湾曲片４３の間に垂直片４４が形成されているので、接続部材４の係止部４２に係止された横線材３１ｂが湾曲片４３や垂直片４４から受ける押圧力は、該垂直片４４や湾曲片４３が設けられていない対向側に向けて横線材３１ｂやその被覆樹脂の弾性変形によって緩和される。したがって、湾曲片４３と垂直片４４との弾性的な反発力による横線材３１ｂを上方に押し出す力が緩和されて、係止部４１は横線材３１ｂを保持しやすくなる。
【００２９】
続いて、同様な手順なので詳細は省略するが、接続部材４のもう一方の係止部４２に前記横線材３１ｂと同様に後パネル２の横線材２１ｂを係止する。これにより、後パネル２の前方に前パネル３が接続される。なお、接続部材４に横線材２１ｂを係止させた後に、横線材３１ｂを係止させてもよい。また図４では、横線材３１ｂと接続部材４との関係を示したが、接続部材４を用いて縦線材２１ａと縦線材３１ａとを接続する場合は、その方向に合わせて接続部材４の向きを回転させ、他は上記と同様な手順で係止することができる。
【００３０】
接続部材４の両端の係止部４２は、本形態では、後パネル２の縦線材２１ａ、横線材２１ｂ、前パネル３の縦線材３１ａ、横線材３１ｂのいずれも係止できるものであるので、後パネル２及び前パネル３の縦線材２１ａ、３１ｂ同士を係止して、更に横線材２１ｂ、３１ｂ同士を係止することによって、後パネル２と前パネル３とを更に強固に固定することができる。
【００３１】
また、後パネル２及び前パネル３とにおいて前後に対向する格子のそれぞれの縦線材２１ａ、３１ａ及び横線材２２ｂ、３２ｂを接続部材４を用いて合わせて３組以上接続しておけば、前パネル３が前後左右方向に動きにくい安定した構造となるので更に好ましい。
【００３２】
また本形態では、前パネル３と設置面との間に隙間が設けられ、この隙間にプランターＳが配置されている。これにより、プランターＳに植えた植物を、前パネル３に沿って生長させることができるので、例えば、植物として葛等の蔓性植物を生育させて前パネル３を緑化させることが可能であり、また前パネル３を接続部材４から取り外すことで、植物が枯れた場合や、植物が不要となった場合に、茎や蔓ごと植物を撤去することができるので、作業が容易で植物を綺麗に撤去できる。
【産業上の利用可能性】
【００３３】
本発明によれば、本発明によれば、前記接続部材は接続部の前後端部に半円筒状となされた湾曲片と接続部から垂直に折曲された垂直片とを備えた係止部が設けられているので、前パネル又は後パネルの線材を湾曲片と垂直片と先端側から挿入していくと、前記線材は、垂直片に接触しつつ湾曲片側に移動して垂直片の変形が徐々に緩和されて垂直片の変形の反動が生じにくく取付作業がしやすくなるので、住宅、公園等の敷地境界部や隣地境界部に沿って取付けられるフェンスに緑化を目的としてパネルを後付けする場合ばかりでなく、緑化を目的としたトレリス等に対して、そのトレリスで用いられる格子パネルにパネルを増設する場合にも作業が容易であるので、好適に利用できる。
【符号の説明】
【００３４】
１    支柱
２    後パネル
２１  線材
２１ａ  縦線材
２１ｂ  横線材
３    前パネル
３１  線材
３１ａ  縦線材
３１ｂ  横線材
４    接続部材
４１  接続部
４２  係止部
４３  湾曲片
４４  垂直片
Ｆ    フェンス
Ｓ    プランター
【図１】
2012132207.tif 000003
【図２】
2012132207.tif 000004
【図３】
2012132207.tif 000005
【図４】
2012132207.tif 000006
【図５】
2012132207.tif 000007